(57)【要約】【課題】印刷メディアに関する処理や設定の不整合を防止する。【解決手段】各印刷メディア用の印刷データの生成のために必要となる画像処理情報と各印刷メディアへの印刷のために必要となる印刷設定情報とを対応付けた情報であるメディア印刷情報を、前記印刷設定情報に従った設定で前記印刷データに基づく印刷を実行する印刷装置毎に記憶するメディア印刷情報記憶部と、通信を制御する通信制御部と、を備え、前記通信制御部は、メディア指定情報が指定する印刷メディアに対応して前記メディア印刷情報記憶部に記憶されている前記画像処理情報を、印刷データを生成する画像処理装置へ送信可能であり、前記印刷装置へ、前記メディア印刷情報記憶部に記憶される前記印刷設定情報を送信可能である、ことを特徴とする印刷管理装置。【選択図】図１
2018073324.tif 000002
【特許請求の範囲】
【請求項１】
各印刷メディア用の印刷データの生成のために必要となる画像処理情報と各印刷メディ
アへの印刷のために必要となる印刷設定情報とを対応付けた情報であるメディア印刷情報
を、前記印刷設定情報に従った設定で前記印刷データに基づく印刷を実行する印刷装置毎
に記憶するメディア印刷情報記憶部と、
通信を制御する通信制御部と、を備え、
前記通信制御部は、
メディア指定情報が指定する印刷メディアに対応して前記メディア印刷情報記憶部に
記憶されている前記画像処理情報を、印刷データを生成する画像処理装置へ送信可能であ
り、
前記印刷装置へ、前記メディア印刷情報記憶部に記憶されている前記印刷設定情報を
送信可能である、ことを特徴とする印刷管理装置。
【請求項２】
前記メディア印刷情報記憶部が記憶する前記印刷設定情報は、編集された後の印刷設定
情報を含むことを特徴とする請求項１に記載の印刷管理装置。
【請求項３】
前記印刷設定情報に対する編集を受け付ける編集受付部を更に備え、
前記編集受付部により編集された前記印刷設定情報により前記メディア印刷情報記憶部
が記憶している前記印刷設定情報を更新することを特徴とする請求項２に記載の印刷管理
装置。
【請求項４】
前記通信制御部は、前記メディア印刷情報記憶部において前記印刷装置毎に記憶してい
る夫々の前記印刷設定情報を、対応する印刷装置毎に記憶させることを特徴とする請求項
１〜請求項３のいずれかに記載の印刷管理装置。
【請求項５】
前記通信制御部は、前記メディア印刷情報記憶部において前記印刷装置毎に記憶されて
いる前記印刷設定情報と、各印刷装置に記憶させる前記印刷設定情報とを同期させること
を特徴とする請求項４に記載の印刷管理装置。
【請求項６】
前記通信制御部は、前記メディア印刷情報記憶部における編集後の前記印刷設定情報を
前記印刷装置へ送信して記憶させることにより前記印刷設定情報の同期を実現することを
特徴とする請求項５に記載の印刷管理装置。
【請求項７】
前記通信制御部は、前記印刷装置における編集後の前記印刷設定情報を前記印刷装置か
ら取得して前記メディア印刷情報記憶部に記憶させることにより前記印刷設定情報の同期
を実現することを特徴とする請求項５に記載の印刷管理装置。
【請求項８】
前記メディア印刷情報記憶部は、前記印刷装置毎に、かつ、前記印刷装置が使用可能な
印刷メディア毎に、前記画像処理情報と前記印刷設定情報とを対応付けて記憶しているこ
とを特徴とする請求項１〜請求項７のいずれかに記載の印刷管理装置。
【請求項９】
前記メディア印刷情報記憶部は、前記印刷装置毎に、かつ、前記印刷装置が使用可能な
印刷メディア毎に、かつ、印刷に際して採用可能な印刷モード毎に、前記画像処理情報と
前記印刷設定情報とを対応付けて記憶していることを特徴とする請求項１〜請求項８のい
ずれかに記載の印刷管理装置。
【請求項１０】
前記メディア印刷情報記憶部は、識別番号を記憶しており、前記通信制御部は、前記メ
ディア指定情報として前記識別番号を使うことを特徴とする請求項１〜請求項９のいずれ
かに記載の印刷管理装置。
【請求項１１】
前記通信制御部は、公衆通信回線を介して所定のサーバーへアクセス可能であり、前記
サーバーが保持する印刷メディア毎の前記メディア印刷情報の中から、所望の前記メディ
ア印刷情報を取得して前記メディア印刷情報記憶部に記憶させることを特徴とする請求項
１〜請求項１０のいずれかに記載の印刷管理装置。
【請求項１２】
前記通信制御部は、前記画像処理装置から前記印刷装置を指定する印刷装置指定情報お
よび前記メディア指定情報を入力した場合に、前記印刷装置指定情報が指定する前記印刷
装置および前記メディア指定情報が指定する印刷メディアに対応して前記メディア印刷情
報記憶部に記憶されている前記画像処理情報を前記画像処理装置へ送信することを特徴と
する請求項１〜請求項１１のいずれかに記載の印刷管理装置。
【請求項１３】
前記印刷管理装置はクラウドサーバー上で実現されており、前記画像処理装置、前記印
刷装置のそれぞれとは公衆通信回線を介して通信することを特徴とする請求項１〜請求項
１２のいずれかに記載の印刷管理装置。
【請求項１４】
前記印刷管理装置は前記画像処理装置と共通の筐体内に実現されており、前記印刷装置
とは公衆通信回線またはローカル通信回線を介して通信することを特徴とする請求項１〜
請求項１２のいずれかに記載の印刷管理装置。
【請求項１５】
通信を制御する通信制御部と、
印刷メディアへの印刷のために必要となる印刷設定情報に従った設定で印刷データの印
刷を実行する印刷処理部と、を備え、
前記通信制御部は、前記印刷メディアを指定するメディア指定情報と、前記メディア指
定情報が指定する印刷メディア用に生成された印刷データとを受信し、前記メディア指定
情報が指定する印刷メディアに対応する前記印刷設定情報を取得し、
前記印刷処理部は、前記取得された印刷設定情報に従った設定で印刷を実行する、こと
を特徴とする印刷装置。
【請求項１６】
外部の管理装置が記憶する前記印刷設定情報を記憶する印刷設定情報記憶部を更に備え
、
前記印刷処理部は、前記印刷設定情報記憶部から前記メディア指定情報が指定する印刷
メディアに対応する印刷設定情報を取得し、前記取得した印刷設定情報に従った設定で、
前記受信した印刷データに基づく印刷を実行することを特徴とする請求項１５に記載の印
刷装置。
【請求項１７】
前記印刷設定情報に対する編集を受け付ける編集受付部を更に備え、
前記編集受付部は、編集後の前記印刷設定情報により前記印刷設定情報記憶部が記憶し
ている前記印刷設定情報を更新することを特徴とする請求項１６に記載の印刷装置。
【請求項１８】
前記通信制御部は、前記管理装置に記憶されている前記印刷設定情報と、前記印刷設定
情報記憶部に記憶されている前記印刷設定情報とを同期させることを特徴とする請求項１
６または請求項１７に記載の印刷装置。
【請求項１９】
前記通信制御部は、前記印刷設定情報記憶部における編集後の前記印刷設定情報を前記
管理装置へ送信して記憶させることにより前記印刷設定情報の同期を実現することを特徴
とする請求項１８に記載の印刷装置。
【請求項２０】
前記通信制御部は、前記管理装置における編集後の前記印刷設定情報を前記管理装置か
ら取得して前記印刷設定情報記憶部に記憶させることにより前記印刷設定情報の同期を実
現することを特徴とする請求項１８に記載の印刷装置。
【請求項２１】
印刷管理に関する処理をコンピューターに実行させる印刷管理プログラムであって、
各印刷メディア用の印刷データの生成のために必要となる画像処理情報と各印刷メディ
アへの印刷のために必要となる印刷設定情報とを対応付けた情報であるメディア印刷情報
を、各印刷装置に対応付けて記憶部へ記憶させる記憶機能と、
通信を制御する通信制御機能と、を備え、
前記通信制御機能は、
メディア指定情報が指定する印刷メディアに対応して前記記憶部に記憶されている前
記画像処理情報を、印刷データを生成する画像処理装置へ送信可能であり、
前記印刷装置へ、前記記憶部に記憶される前記印刷設定情報を送信可能である、こと
を特徴とする印刷管理プログラム。
【請求項２２】
印刷データを生成する処理をコンピューターに実行させる画像処理プログラムであって
、
各印刷メディア用の印刷データの生成のために必要となる画像処理情報を記憶する管理
装置から、指定された印刷メディアに対応する前記画像処理情報を取得する取得機能と、
前記取得された画像処理情報に基づいて、前記指定された印刷メディア用の印刷データ
を生成する印刷データ生成機能と、
前記指定された印刷メディアを示すメディア指定情報と前記生成された印刷データとを
、印刷装置へ送信する送信機能と、を実行させることを特徴とする画像処理プログラム。
【発明の詳細な説明】
【技術分野】
【０００１】
本発明は、印刷管理装置、印刷装置、印刷管理プログラムおよび画像処理プログラムに
関する。
【背景技術】
【０００２】
印刷メディアに印刷を行う印刷処理システムでは、印刷メディアへの印刷処理を担う印
刷装置（プリンター）と、プリンターが印刷するための印刷データの生成処理を担う画像
処理装置とが異なる装置である場合が多い。例えば、画像処理装置に相当するコンピュー
ター上で印刷データが生成され、プリンターが当該コンピューターから印刷データを受信
して印刷処理を実行する形態が一般的である。特に、いわゆるＬＦＰ（Large Format Pri
nter）の分野では、このようなシステムが多く採用されている。
【０００３】
ここで、印刷に用いる給紙装置として設定された給紙装置にセットされている印刷用紙
の向きおよび種類に対応した画像を形成するための印刷データを生成するプリンタードラ
イバープログラムが開示されている（特許文献１参照）。
【先行技術文献】
【特許文献】
【０００４】
【特許文献１】特開２０１０‐１０２３９８号公報
【発明の概要】
【発明が解決しようとする課題】
【０００５】
上述のシステムにおいて、印刷を完了させ、品質の良好な印刷成果物を得るためには、
画像処理装置と印刷装置とで対象となる印刷メディアが一致していなければならない。し
かしながら、これらの装置においては印刷メディアに適合させるための画像処理や各種設
定はそれぞれ個別に行われるため、これら画像処理や各種設定が共通の印刷メディアに関
する処理となることが保証されない。
【０００６】
本発明は上述の課題に鑑みてなされたものであり、印刷メディアに関する処理や設定の
不整合の防止に役立ち、品質の良好な印刷成果物を得ることを可能にする印刷管理装置、
印刷装置、印刷管理プログラムおよび画像処理プログラムを提供する。
【０００７】
本発明の態様の１つは、印刷管理装置は、各印刷メディア用の印刷データの生成のため
に必要となる画像処理情報と各印刷メディアへの印刷のために必要となる印刷設定情報と
を対応付けた情報であるメディア印刷情報を、前記印刷設定情報に従った設定で前記印刷
データに基づく印刷を実行する印刷装置毎に記憶するメディア印刷情報記憶部と、通信を
制御する通信制御部と、を備え、前記通信制御部は、メディア指定情報が指定する印刷メ
ディアに対応して前記メディア印刷情報記憶部に記憶されている前記画像処理情報を、印
刷データを生成する画像処理装置へ送信可能であり、前記印刷装置へ、前記メディア印刷
情報記憶部に記憶される前記印刷設定情報を送信可能である。
【０００８】
当該構成によれば、印刷管理装置から画像処理装置へは、メディア指定情報が指定する
印刷メディアに対応する画像処理情報が与えられ、印刷管理装置から印刷装置へは、印刷
設定情報が与えられる。そのため、画像処理装置が印刷データの生成に際して用いる画像
処理情報と、印刷装置が印刷データに基づく印刷に際して用いる印刷設定情報との不整合
（対応する印刷メディアの不一致）を回避することが容易となり、結果、品質の良好な印
刷成果物が得られる。
【０００９】
また、前記通信制御部は、前記メディア指定情報の入力に応じて、前記メディア指定情
報が指定する印刷メディアに対応して前記メディア印刷情報記憶部に記憶されている前記
画像処理情報を前記画像処理装置へ送信し、前記メディア指定情報および前記画像処理装
置により生成された前記印刷データを受信する前記印刷装置へ、前記メディア指定情報が
指定する印刷メディアに対応して前記メディア印刷情報記憶部に記憶されている前記印刷
設定情報を送信するとしてもよい。
当該構成によれば、画像処理装置が印刷データの生成に際して用いる画像処理情報と、
印刷装置が印刷データに基づく印刷に際して用いる印刷設定情報との不整合を確実に防ぐ
ことができる。
【００１０】
本発明の態様の１つは、前記メディア印刷情報記憶部が記憶する前記印刷設定情報は、
編集された後の印刷設定情報を含むとしてもよい。
当該構成によれば、ユーザーは、メディア印刷情報記憶部が記憶する印刷設定情報を、
任意に編集することができる。
【００１１】
本発明の態様の１つは、印刷管理装置は、前記印刷設定情報に対する編集を受け付ける
編集受付部を更に備え、前記編集受付部により編集された前記印刷設定情報により前記メ
ディア印刷情報記憶部が記憶している前記印刷設定情報を更新するとしてもよい。
当該構成によれば、ユーザーは、印刷管理装置を操作することにより、メディア印刷情
報記憶部が記憶する印刷設定情報を任意に編集することができる。
【００１２】
本発明の態様の１つは、前記通信制御部は、前記メディア印刷情報記憶部において前記
印刷装置毎に記憶している夫々の前記印刷設定情報を、対応する印刷装置毎に記憶させる
としてもよい。
当該構成によれば、印刷装置は、自身が記憶する印刷設定情報を用いて印刷設定を行い
、印刷メディアへの印刷を実行することができる。
【００１３】
本発明の態様の１つは、前記通信制御部は、前記メディア印刷情報記憶部において前記
印刷装置毎に記憶されている前記印刷設定情報と、各印刷装置に記憶させる前記印刷設定
情報とを同期させるとしてもよい。
当該構成によれば、印刷管理装置がある印刷装置に対応させて記憶する印刷設定情報と
、当該印刷装置が記憶する印刷設定情報とを一致させることができる。
この場合、前記通信制御部は、前記メディア印刷情報記憶部における編集後の前記印刷
設定情報を前記印刷装置へ送信して記憶させることにより前記印刷設定情報の同期を実現
する。あるいは、前記通信制御部は、前記印刷装置における編集後の前記印刷設定情報を
前記印刷装置から取得して前記メディア印刷情報記憶部に記憶させることにより前記印刷
設定情報の同期を実現するとしてもよい。
【００１４】
本発明の態様の１つは、前記メディア印刷情報記憶部は、前記印刷装置毎に、かつ、前
記印刷装置が使用可能な印刷メディア毎に、前記画像処理情報と前記印刷設定情報とを対
応付けて記憶しているとしてもよい。
当該構成によれば、膨大な種類の印刷メディア毎に画像処理情報と印刷設定情報が存在
する中で、それぞれの印刷装置が使用する印刷メディアに必要な画像処理情報と印刷設定
情報を適切に記憶することができる。
本発明の態様の１つは、前記メディア印刷情報記憶部は、前記印刷装置毎に、かつ、前
記印刷装置が使用可能な印刷メディア毎に、かつ、印刷に際して採用可能な印刷モード毎
に、前記画像処理情報と前記印刷設定情報とを対応付けて記憶しているとしてもよい。
当該構成によれば、それぞれの印刷装置が使用する印刷メディアと印刷モードの組合せ
に必要な画像処理情報と印刷設定情報を適切に記憶することができる。
【００１５】
本発明の態様の１つは、前記メディア印刷情報記憶部は、識別番号を記憶しており、前
記通信制御部は、前記メディア指定情報として前記識別番号を使うとしてもよい。
当該構成によれば、印刷管理装置は、画像処理装置や印刷装置との情報のやり取りにお
いて前記識別番号を利用することにより、容易かつ確実に、対象とする印刷メディアを特
定し、必要な情報を提供することができる。
【００１６】
本発明の態様の１つは、前記通信制御部は、公衆通信回線を介して所定のサーバーへア
クセス可能であり、前記サーバーが保持する印刷メディア毎の前記メディア印刷情報の中
から、所望の前記メディア印刷情報を取得して前記メディア印刷情報記憶部に記憶させる
としてもよい。
当該構成によれば、印刷管理装置は、インターネット等の公衆通信回線を通じて、前記
サーバーが保有する膨大な種類の印刷メディア毎のメディア印刷情報の中から、所望のメ
ディア印刷情報を取得して、記憶することができる。
【００１７】
本発明の態様の１つは、前記通信制御部は、前記画像処理装置から前記印刷装置を指定
する印刷装置指定情報および前記メディア指定情報を入力した場合に、前記印刷装置指定
情報が指定する前記印刷装置および前記メディア指定情報が指定する印刷メディアに対応
して前記メディア印刷情報記憶部に記憶されている前記画像処理情報を前記画像処理装置
へ送信するとしてもよい。
当該構成によれば、印刷管理装置が複数の印刷装置を管理し、複数の印刷装置毎にメデ
ィア印刷情報を記憶している場合に、画像処理装置が必要とする画像処理情報を的確に画
像処理装置へ提供することができる。
【００１８】
本発明の態様の１つは、前記印刷管理装置はクラウドサーバー上で実現されており、前
記画像処理装置、前記印刷装置のそれぞれとは公衆通信回線を介して通信するとしてもよ
い。
当該構成によれば、クラウドサーバー上にメディア印刷情報記憶部が存在することにな
るため、複数の印刷装置に同じ印刷設定情報を与えることが容易となったり、印刷装置側
に不具合が生じた場合でも印刷設定情報が守られたりする。
本発明の態様の１つは、前記印刷管理装置は前記画像処理装置と共通の筐体内に実現さ
れており、前記印刷装置とは公衆通信回線またはローカル通信回線を介して通信するとし
てもよい。
当該構成によれば、印刷管理装置と画像処理装置とを実質的に１台の装置で実現するこ
とができる。また、印刷装置を印刷管理装置にローカル接続することにより、印刷装置の
セキュリティを強化することができる。
【００１９】
本発明の技術的思想は、印刷管理装置という物以外にも様々な態様にて実現される。例
えば、上述した印刷装置も発明として成立する。
本発明の態様の１つは、印刷装置は、通信を制御する通信制御部と、印刷メディアへの
印刷のために必要となる印刷設定情報に従った設定で印刷データの印刷を実行する印刷処
理部と、を備え、前記通信制御部は、前記印刷メディアを指定するメディア指定情報と、
前記メディア指定情報が指定する印刷メディア用に生成された印刷データとを受信し、前
記メディア指定情報が指定する印刷メディアに対応する前記印刷設定情報を取得し、前記
印刷処理部は、前記取得された印刷設定情報に従った設定で印刷を実行する。
当該構成によれば、印刷装置は、メディア指定情報と、メディア指定情報が指定する印
刷メディア用に生成された印刷データとを受信し、当該メディア指定情報が指定する印刷
メディアに対応する印刷設定情報を取得する。そのため、印刷データが対応する印刷メデ
ィアと、当該印刷データに基づく印刷に際して用いる印刷設定情報が対応する印刷メディ
アとに不一致が生じず、結果、品質の良好な印刷成果物が得られる。
【００２０】
本発明の態様の１つは、印刷装置は、外部の管理装置が記憶する前記印刷設定情報を記
憶する印刷設定情報記憶部を更に備え、前記印刷処理部は、前記印刷設定情報記憶部から
前記メディア指定情報が指定する印刷メディアに対応する印刷設定情報を取得し、前記取
得した印刷設定情報に従った設定で、前記受信した印刷データに基づく印刷を実行すると
してもよい。
当該構成によれば、印刷装置は、自身の印刷設定情報記憶部が記憶する印刷設定情報を
用いてメディア指定情報が指定する印刷メディアに対応する印刷設定を行い、当該印刷メ
ディアへの印刷を実行することができる。
【００２１】
本発明の態様の１つは、印刷装置は、前記印刷設定情報に対する編集を受け付ける編集
受付部を更に備え、前記編集受付部は、編集後の前記印刷設定情報により前記印刷設定情
報記憶部が記憶している前記印刷設定情報を更新するとしてもよい。
当該構成によれば、ユーザーは、印刷装置を操作することにより、印刷設定情報記憶部
が記憶する印刷設定情報を任意に編集することができる。
【００２２】
本発明の態様の１つは、印刷装置の前記通信制御部は、前記管理装置に記憶されている
前記印刷設定情報と、前記印刷設定情報記憶部に記憶されている前記印刷設定情報とを同
期させるとしてもよい。
当該構成によれば、管理装置がある印刷装置に対応させて記憶する印刷設定情報と、当
該印刷装置が記憶する印刷設定情報とを一致させることができる。
この場合、印刷装置の前記通信制御部は、前記印刷設定情報記憶部における編集後の前
記印刷設定情報を前記管理装置へ送信して記憶させることにより前記印刷設定情報の同期
を実現する。あるいは、印刷装置の前記通信制御部は、前記管理装置における編集後の前
記印刷設定情報を前記管理装置から取得して前記印刷設定情報記憶部に記憶させることに
より前記印刷設定情報の同期を実現するとしてもよい。
本発明の態様の１つは、印刷装置の前記通信制御部は、印刷に際して採用すべき印刷モ
ードを指定する印刷モード指定情報を含んだ前記印刷データを受信し、前記印刷処理部は
、前記印刷モード指定情報が指定する印刷モードにより前記印刷を実行するとしてもよい
。
当該構成によれば、印刷装置は、受信した印刷データに含まれている印刷モード指定情
報が指定する印刷モードに対応した印刷設定を採用して印刷を実行することができる。
【００２３】
上述した画像処理装置も発明として成立する。また、印刷管理装置と画像処理装置と印
刷装置とのいずれか２つ以上を含むシステムも発明として成立する。さらには、印刷管理
装置、画像処理装置、印刷装置の各装置が実行する工程に相当する各方法の発明や、それ
ら工程を印刷管理装置、画像処理装置、印刷装置といった装置（コンピューター）に実行
させる各プログラムの発明や、各プログラムを記憶したコンピューター読取可能な記憶媒
体の発明が、それぞれ成立する。
具体例の一つとして、印刷管理に関する処理をコンピューターに実行させる印刷管理プ
ログラムであって、各印刷メディア用の印刷データの生成のために必要となる画像処理情
報と各印刷メディアへの印刷のために必要となる印刷設定情報とを対応付けた情報である
メディア印刷情報を、各印刷装置に対応付けて記憶部へ記憶させる記憶機能と、通信を制
御する通信制御機能と、を備え、前記通信制御機能は、メディア指定情報が指定する印刷
メディアに対応して前記記憶部に記憶されている前記画像処理情報を、印刷データを生成
する画像処理装置へ送信可能であり、前記印刷装置へ、前記記憶部に記憶される前記印刷
設定情報を送信可能である構成を把握することができる。さらに、印刷データを生成する
処理をコンピューターに実行させる画像処理プログラムであって、各印刷メディア用の印
刷データの生成のために必要となる画像処理情報を記憶する管理装置から、指定された印
刷メディアに対応する前記画像処理情報を取得する取得機能と、前記取得された画像処理
情報に基づいて、前記指定された印刷メディア用の印刷データを生成する印刷データ生成
機能と、前記指定された印刷メディアを示すメディア指定情報と前記生成された印刷デー
タとを、印刷装置へ送信する送信機能と、を実行させる構成が把握される。
【図面の簡単な説明】
【００２４】
【図１】印刷処理システムの構成を簡易的に示す図。
【図２】メディアテーブルの構成を示す図。
【図３】画像処理情報の構造を示す図。
【図４】ＵＩ画面を示す図。
【図５】ダウンロード用画面を示す図。
【図６】編集用画面を示す図。
【図７】プリンターが有する印刷設定情報テーブルを示す図。
【図８】画像処理装置による印刷データ生成処理を示すフローチャート。
【図９】プリンターによる印刷処理を示すフローチャート。
【図１０】第２実施例にかかるプリンターによる印刷処理を示すフローチャート。
【図１１】画像処理装置が有する画像処理情報テーブルを示す図。
【図１２】第３実施例にかかる画像処理装置による印刷データ生成処理を示すフローチャート。
【図１３】印刷処理システムの他の構成例を簡易的に示す図。
【図１４】印刷処理システムの更なる他の構成例を簡易的に示す図。
【発明を実施するための形態】
【００２５】
以下、各図を参照しながら本発明の実施形態を説明する。なお各図は、本実施形態を説
明するための例示に過ぎない。
１．システムの概略説明：
図１は、本実施形態にかかる印刷処理システム（以下、システム）１の構成を簡易的に
示している。システム１を、印刷管理システム等と呼んでもよい。システム１は、印刷管
理装置１０、画像処理装置２０およびプリンター３０を含んでいる。
【００２６】
印刷管理装置１０、画像処理装置２０およびプリンター３０は、例えば、有線あるいは
無線のＬＡＮ（Local Area Network）４０に接続されており、互いに通信可能である。よ
り具体的には、図示しないルーターを介して公衆通信回線たるインターネット通信網５０
に接続されたＬＡＮ４０に、印刷管理装置１０、画像処理装置２０、プリンター３０など
の各種装置が接続されている。これら各種装置のそれぞれは、システム１内に複数含まれ
ていてもよい。特に本実施形態では、システム１に複数台のプリンター３０が含まれてい
ることを想定する。
【００２７】
インターネット通信網５０には、プリンター３０のファームウェアＦＷや、後述するメ
ディアファイルＭＦ等、システム１の運用に必要な各種情報を保持し且つ公開するメディ
アサーバー６０が少なくとも１台接続される。メディアサーバー６０は、インターネット
通信網５０を介したクラウドサービスを提供するクラウド環境の一部（仮想サーバー）と
して実現されたり、物理サーバーにより実現されたりする。システム１の範疇にメディア
サーバー６０が含まれるとしてもよい。
【００２８】
印刷管理装置１０や画像処理装置２０は、例えば、パーソナルコンピューター（ＰＣ）
や、ＰＣと同等の処理機能を有する情報端末により実現される。
印刷管理装置１０は、制御部１１、記憶部１２、表示部１３、操作受付部１４、通信イ
ンターフェイス（ＩＦ）１５等を含んでいる。制御部１１は、例えば、ＣＰＵ、ＲＯＭ、
ＲＡＭ等を有するＩＣや、その他のメモリー等により構成される。制御部１１では、ＣＰ
Ｕが、プログラムに従った演算処理を、ＲＡＭ等をワークエリアとして用いて実行するこ
とにより印刷管理装置１０の動作を制御する。制御部１１は、このようなプログラムの一
種として、印刷管理に関する処理を印刷管理装置１０に実行させる印刷管理プログラム１
６を搭載している。記憶部１２は、例えば、ハードディスクドライブ（ＨＤＤ）やフラッ
シュメモリー等の記憶媒体により構成される。記憶部１２は、制御部１１の一部であって
もよい。通信ＩＦ１５は、例えばＬＡＮ４０を介して外部と通信するための所定の通信規
格に対応したＩＦの総称である。制御部１１および通信ＩＦ１５は、それらが協働するこ
とにより、外部との通信を制御する印刷管理装置１０における通信制御部として機能する
。
【００２９】
表示部１３は、視覚的情報を表示するための手段であり、例えば、液晶ディスプレイ（
ＬＣＤ）や、有機ＥＬディスプレイ等により構成される。表示部１３は、ディスプレイと
、当該ディスプレイを駆動するための駆動回路とを含む構成であってもよい。操作受付部
１４は、ユーザーによる操作を受け付けるための手段であり、例えば、物理的なボタンや
、タッチパネルや、マウスや、キーボード等によって実現される。むろん、タッチパネル
は、表示部１３の一機能として実現されるとしてもよい。また、表示部１３および操作受
付部１４を含めて操作パネル等と呼ぶことができる。
【００３０】
画像処理装置２０は、制御部２１、記憶部２２、表示部２３、操作受付部２４、通信Ｉ
Ｆ２５等を含んでいる。制御部２１は、例えば、ＣＰＵ、ＲＯＭ、ＲＡＭ等を有するＩＣ
や、その他のメモリー等により構成される。制御部２１では、ＣＰＵが、プログラムに従
った演算処理を、ＲＡＭ等をワークエリアとして用いて実行することにより画像処理装置
２０の動作を制御する。制御部２１は、このようなプログラムの一種として画像処理プロ
グラム２６を搭載している。画像処理プログラム２６は、プリンター３０が印刷に使用す
る色（例えば、シアン（Ｃ）、マゼンダ（Ｍ）、イエロー（Ｙ）、ブラック（Ｋ））毎の
、ビットマップ展開されたラスターデータ（印刷データ）の生成を専門的に行うＲＩＰ（
Raster Image Processor）ソフトウェアとしても機能する。そのため、画像処理プログラ
ム２６をＲＩＰソフトウェアと呼び、画像処理プログラム２６を搭載する画像処理装置２
０をＲＩＰ装置と呼んでもよい。
【００３１】
ＲＩＰは、比較的高画質の印刷成果物を得るために用いられる。例えば、印刷会社で用
いられる業務用の高画質かつ大判のプリンター（ＬＦＰ）に印刷を実行させるために、Ｒ
ＩＰによる印刷データの生成が行われる。記憶部２２、表示部２３、操作受付部２４、通
信ＩＦ２５に関する基本的説明は、記憶部１２、表示部１３、操作受付部１４、通信ＩＦ
１５に関して行った前記説明を準用することができる。制御部２１および通信ＩＦ２５は
、それらが協働することにより、外部との通信を制御する画像処理装置２０における通信
制御部として機能する。
【００３２】
プリンター３０は、ネットワークプリンターとしての一般的な構成を有しており、制御
部３１、記憶部３２、表示部３３、操作受付部３４、通信ＩＦ３５、プリンターエンジン
３６等を含んでいる。制御部３１は、例えば、ＣＰＵ、ＲＯＭ、ＲＡＭ等を有するＩＣや
、その他のメモリー等により構成される。制御部３１では、ＣＰＵが、ファームウェアＦ
Ｗに従った演算処理を、ＲＡＭ等をワークエリアとして用いて実行することによりプリン
ター３０の動作を制御する。記憶部３２、表示部３３、操作受付部３４、通信ＩＦ３５に
関する基本的説明は、記憶部１２、表示部１３、操作受付部１４、通信ＩＦ１５に関して
行った前記説明を準用することができる。制御部３１および通信ＩＦ３５は、それらが協
働することにより、外部との通信を制御する印刷装置３０における通信制御部として機能
する。
【００３３】
プリンターエンジン３６は、制御部３１による制御下で印刷メディアへの印刷動作を実
行する機構である。印刷メディアとは、用紙に限られず、フィルムや繊維等、インクやト
ナーを付着させることができる種々の素材による媒体を指す。プリンターエンジン３６は
、例えば、インクジェット方式によりインク等の液体を吐出して印刷を行う機構である。
プリンターエンジン３６は、インク等の液体を吐出する印刷ヘッド、印刷ヘッドを一定の
走査方向へ移動させるキャリッジ、印刷メディアを搬送する搬送機構、印刷メディアを乾
燥させるためのヒーター等の構成を備える。なお、プリンターエンジン３６が採用する印
刷方式はインクジェット方式に限定されず、電子写真方式など様々な方式を採用可能であ
る。
【００３４】
システム１は、ユーザーに指定された画像から画像処理装置２０が印刷データを生成し
、プリンター３０が指定された印刷メディアに対して印刷データに基づく印刷を実行する
システムである。印刷すべき画像としては、文書作成ソフトウェアで作成されたテキスト
画像、描画ソフトウェアで形成されたグラフィック画像、デジタルカメラで撮影された写
真、スキャナーで読み込まれた画像など種々のものがある。
【００３５】
２．メディアテーブルの説明：
次に、メディアテーブルＭＴについて説明する。図１に示すように、印刷管理装置１０
は、記憶部１２にメディアテーブルＭＴを記憶させている。メディアテーブルＭＴには、
印刷メディアへの印刷を実現するために画像処理装置２０、プリンター３０がそれぞれ必
要とする情報が記述されている。
【００３６】
図２は、メディアテーブルＭＴの構成を例示している。メディアテーブルＭＴは、シス
テム１において印刷管理装置１０が管理対象として認識している（予め印刷管理装置１０
に登録されている）プリンター３０毎にまとめられたメディアファイルＭＦの集まりであ
る。例えば、システム１には、プリンター識別情報“ＡＡＡ”、“ＢＢＢ”、“ＣＣＣ”
…で識別される複数台のプリンター３０が含まれているとする。プリンター識別情報には
、例えば、プリンター３０の機種名、ＩＰアドレス、シリアルナンバー、ファームウェア
ＦＷのバージョン情報等が含まれる。後述する機種名“ｘｘｘ”、“ｙｙｙ”、“ｚｚｚ
”は、プリンター識別情報に含まれるプリンター３０の機種名の例である。
【００３７】
図２に例示するメディアテーブルＭＴでは、プリンター識別情報“ＡＡＡ”のプリンタ
ー３０に対応して、符号“ａａａ”、“ｂｂｂ”、“ｃｃｃ”…で示される印刷メディア
毎のメディアファイルＭＦが用意されている。また、プリンター識別情報“ＢＢＢ”のプ
リンター３０に対応して、符号“ａａａ”、“ｂｂｂ”、“ｄｄｄ”…で示される印刷メ
ディア毎のメディアファイルＭＦが用意されている。また、プリンター識別情報“ＣＣＣ
”のプリンター３０に対応して、符号“ｅｅｅ”、“ｆｆｆ”、“ｇｇｇ”…で示される
印刷メディア毎のメディアファイルＭＦが用意されている。つまり、メディアテーブルＭ
Ｔには、プリンター３０毎に、プリンター３０が使用可能な印刷メディア毎のメディアフ
ァイルＭＦが格納されている。前記符号“ａａａ”、“ｂｂｂ”、“ｃｃｃ”、“ｄｄｄ
”…は、印刷メディアつまり後述のメディア基本情報ＭＩを区別するための便宜上の表記
でもある。
【００３８】
１つのメディアファイルＭＦは、１種類の印刷メディアに対応しており、メディア基本
情報ＭＩ、画像処理情報ＰＩおよび印刷設定情報ＳＩが対応付けられた情報である。
メディア基本情報ＭＩは、印刷メディアに関する様々な情報を含んでおり、例えば、印
刷メディアの名称（メディア名称）、印刷メディアの素材のタイプ（メディアタイプ）、
印刷メディアを市場に提供する提供元（メディアベンダー）、印刷メディアのサイズ（長
さ、幅、重さ）、メディアファイルＭＦの更新日時、当該印刷メディアを使用可能なプリ
ンター３０の機種名等が含まれ得る。
【００３９】
画像処理情報ＰＩは、対応する印刷メディア用の印刷データの生成のために画像処理装
置２０にとって必要となる情報である。例えば、画像処理情報ＰＩには、カラープロファ
イル、色変換テーブル、ドット振分テーブル等が含まれ得る。カラープロファイルは、例
えば、対応する印刷メディアの発色特性に関連して規定されたＩＣＣ（International Co
lor Consortium）プロファイルである。ＩＣＣプロファイルは、印刷データの生成工程の
色変換処理において、対応する印刷メディア上で画像の色合いを高精度に再現するための
情報であり、画像処理の分野で事実上標準化された客観性を有するものである。
【００４０】
色変換テーブルは、画像の表色系の変換（例えば、ＲＧＢ（レッド、グリーン、ブルー
）表色系からＣＭＹＫ表色系への色変換）に際して用いられるルックアップテーブル（Ｌ
ＵＴ）であり、これも対応する印刷メディアの特性に応じて規定されている。ドット振分
テーブルは、色変換処理により得られたプリンター３０が印刷に使用するインク色（例え
ば、ＣＭＹＫ）毎のラスターデータを、さらに画素毎に複数サイズのドットのいずれかに
振り分けるドット振り分け処理のためのテーブルである。例えば、プリンター３０が一滴
あたりのインク重量が異なる３種類のドット（大ドット、中ドット、小ドット）を吐出可
能なインクジェットプリンターであるとした場合、インク色毎のラスターデータは、画素
毎の階調値がこのような３種類のいずれかのドットのオン情報またはドットのオフ情報に
変換される。
【００４１】
さらに画像処理情報ＰＩについて詳細に説明すると、画像処理情報ＰＩは、ユーザーが
任意に選択可能な印刷モード別に情報を有している。
図３は、ある１種類の印刷メディア（例えば、メディア基本情報ＭＩが“ａａａ”であ
る印刷メディア）に対応する画像処理情報ＰＩであって、印刷モード別に情報が分けられ
ている構造を例示している。当該印刷メディアを用いて印刷する場合、ユーザーは、複数
の印刷モード１，２，３…のいずれかを選択可能であるとする。
【００４２】
印刷モードが異なることで、印刷に要する時間や画質が異なる。図３に例示するように
、画像処理情報ＰＩにおいては、印刷モード１，２，３…毎に、適切なパス数、印刷解像
度、ＩＣＣプロファイル、色変換テーブル、ドット振分テーブル等がそれぞれ定義されて
いる。パス数とは、プリンター３０のキャリッジに搭載された印刷ヘッドが印刷メディア
の一定領域を印刷するために当該領域上を移動する回数であり、基本的には、パス数が多
い程、印刷に要する時間は長くなるが画質は高くなる。必要とされるＩＣＣプロファイル
、色変換テーブル、ドット振分テーブル等は、基本的には印刷モード毎に異なるが、一部
の印刷モード間で共通していることもある。
【００４３】
印刷設定情報ＳＩは、対応する印刷メディアへの印刷のためにプリンター３０にとって
必要となる情報である。例えば、印刷設定情報ＳＩには、前記ヒーターの温度、印刷メデ
ィアの搬送に関するパラメーター、印刷メディアの乾燥時間、印刷メディアを支持するプ
ラテンから印刷ヘッドまでの高さであるプラテンギャップ、印刷ヘッドが有するノズルの
クリーニング頻度等の様々な項目毎の設定値が含まれている。
【００４４】
このようなメディアテーブルＭＴを記憶している点で、印刷管理装置１０の記憶部１２
は、各印刷メディア用の印刷データの生成のために必要となる画像処理情報ＰＩと各印刷
メディアへの印刷のために必要となる印刷設定情報ＳＩとを対応付けた情報であるメディ
ア印刷情報（印刷メディア毎のメディアファイルＭＦ）を、プリンター３０毎に記憶する
メディア印刷情報記憶部、に該当すると言える。
【００４５】
メディアサーバー６０は、市場に流通する種々の印刷メディア毎に固有のメディアファ
イルＭＦを登録したメディアリスト６１（図１）を保有している。印刷メディア毎のメデ
ィアファイルＭＦは、例えば、各印刷メディアのメディアベンダーによって生成され、イ
ンターネット通信網５０を介してメディアサーバー６０にアップロードされ、メディアリ
スト６１に登録される。また、メディアベンダーがメディアサーバー６０を管理、運営す
る立場の事業者（メディアサーバー管理者）に対して自社の印刷メディアに関する情報を
提供し、当該提供された情報に基づいてメディアサーバー管理者が生成したメディアファ
イルＭＦがメディアリスト６１に登録されるとしてもよい。
【００４６】
メディアベンダーの中には、プリンターを市場に提供する提供元（プリンターベンダー
）も含まれ得る。また、メディアベンダーやプリンターベンダーがメディアサーバー管理
者であってもよい。また、メディアサーバー６０は、このようなメディアサーバー管理者
の数に応じて存在していてもよい。
【００４７】
メディアサーバー６０では、メディアリスト６１に一旦載せたメディアファイルＭＦを
後に更新する場合がある。例えば、印刷メディアの仕様変更や、印刷メディアへの印刷品
質を向上させるための各種情報（画像処理情報ＰＩ、印刷設定情報ＳＩ）の改善などが行
われる場合がある。また、プリンター３０のファームウェアＦＷが更新されることに伴い
、当該プリンター３０で使用可能な各印刷メディアのメディアファイルＭＦの更新が必要
となる場合もある。メディアサーバー６０において、このようなメディアファイルＭＦの
更新がされたとき、当該更新の日時が、当該メディアファイルＭＦのメディア基本情報Ｍ
Ｉ内の前記更新日時に反映される。
【００４８】
印刷管理装置１０では、制御部１１が印刷管理プログラム１６を実行することにより、
メディアサーバー６０から必要なメディアファイルＭＦを取得する。つまり制御部１１は
、メディアサーバー６０が保持する複数の印刷メディア毎のメディア印刷情報（メディア
ファイルＭＦ）の中から、選択した（所望の）メディアファイルＭＦを取得し、メディア
印刷情報記憶部（記憶部１２）に記憶させる。制御部１１は、通信ＩＦ１５を介して、メ
ディアサーバー６０へアクセスし、管理対象としているあるプリンター３０（ここでは便
宜上、特定プリンターと呼ぶ。）が使用可能な印刷メディアに対応するメディアファイル
ＭＦをメディアサーバー６０に要求する。メディアサーバー６０は、当該要求にかかるメ
ディアファイルＭＦをメディアリスト６１から抽出し、抽出したメディアファイルＭＦを
インターネット通信網５０を通じて印刷管理装置１０へ送信する。このようにして、メデ
ィアファイルＭＦがメディアサーバー６０から印刷管理装置１０へダウンロードされる。
【００４９】
制御部１１は、ダウンロードしたメディアファイルＭＦを、前記特定プリンターに対応
付けて記憶部１２に記憶させる（メディアテーブルＭＴ内に前記特定プリンターに対応す
るメディアファイルＭＦの１つとして記憶させる）。このとき、ダウンロードしたメディ
アファイルＭＦが、現在のメディアテーブルＭＴにおいて前記特定プリンターに対応する
メディアファイルＭＦとして存在しないものであれば、当該ダウンロードしたメディアフ
ァイルＭＦを前記特定プリンターに対応付けてメディアテーブルＭＴに新たに追加する。
一方、ダウンロードしたメディアファイルＭＦと同じ印刷メディアに対応するメディアフ
ァイルＭＦであって、前記更新日時が当該ダウンロードしたメディアファイルＭＦの前記
更新日時よりも古いメディアファイルＭＦが、現在のメディアテーブルＭＴにおいて前記
特定プリンターに対応するメディアファイルＭＦとして存在していれば、当該ダウンロー
ドしたメディアファイルＭＦを前記更新日時が古いメディアファイルＭＦに対して上書き
する。
以上の説明を踏まえ、更に本実施形態に含まれる幾つかの実施例を説明する。
【００５０】
３．第１実施例：
３‐１．メディアファイルＭＦのダウンロード：
図４は、印刷管理プログラム１６を実行する制御部１１が提供するユーザーインターフ
ェイス（ＵＩ）画面１６０を例示している。ＵＩ画面１６０は、表示部１３に表示され、
ユーザーは、操作受付部１４を操作することにより、ＵＩ画面１６０に対する入力を行う
ことができる。あるいは、ＵＩ画面１６０は、印刷管理装置１０に接続する画像処理装置
２０の表示部２３に表示され、ユーザーは、操作受付部２４を操作することにより、ＵＩ
画面１６０に対する入力を行うとしてもよい。
【００５１】
ＵＩ画面１６０は、印刷管理装置１０が管理対象としている複数のプリンター３０それ
ぞれについて、種々の関連情報を表示し、またユーザーからの入力を受け付けるための画
面の一例である。図４の例では、ＵＩ画面１６０は、印刷管理装置１０が管理対象として
いる３台のプリンター３０それぞれに対応した３つのタブ１６１，１６２，１６３が表示
されている。むろん、管理対象のプリンター３０の台数に応じて当該タブの数が決まる。
各タブ１６１，１６２，１６３には、分かり易いように、例えば夫々のプリンター３０の
プリンター識別情報のうちの機種名（機種名“ｘｘｘ”、“ｙｙｙ”、“ｚｚｚ”）が表
示されている。ユーザーは、このような機種名を見て所望のタブを選択することにより、
印刷管理装置１０が管理対象としている複数台のプリンター３０のうちのいずれか１つの
プリンター３０に関する専用画面を閲覧することができる。図４の例では、タブ１６１が
選択されており、その結果、タブ１６１が対応するプリンター３０（機種名“ｘｘｘ”の
プリンター３０）の専用画面１６４が開かれている。
【００５２】
専用画面１６４には、第１メディア登録リスト１６５、第２メディア登録リスト１６６
、サーバーアクセスボタン１６７等が表示されている。メディアサーバー６０からのメデ
ィアファイルＭＦの取得を望むユーザーは、サーバーアクセスボタン１６７を操作（クリ
ックやタップ）する。制御部１１は、サーバーアクセスボタン１６７への操作を検知した
場合、メディアファイルＭＦのダウンロード用画面１７０を新たに生成した上で、通信Ｉ
Ｆ１５を介してメディアサーバー６０へアクセスしてメディアリスト６１を表示部１３（
あるいは表示部２３）に表示させる。
【００５３】
図５は、ダウンロード用画面１７０を例示している。ダウンロード用画面１７０は、制
御部１１が提供するウェブページである。ダウンロード用画面１７０には、メディアサー
バー６０が有するメディアリスト６１が表示される。メディアリスト６１は、メディアサ
ーバー６０が有するメディアファイルＭＦの存在を、例えば、メディアベンダー、メディ
ア名称、メディアタイプ、機種名（当該メディアファイルＭＦが対応する印刷メディアを
使用可能なプリンターの機種名）、更新日時等といったメディア基本情報ＭＩに含まれる
幾つかの項目によって示している。
【００５４】
ユーザーは、例えば、ダウンロード用画面１７０に表示されたメディアリスト６１から
任意にメディアファイルＭＦを選択しダウンロードする所定の操作を行う。操作を受ける
と、印刷管理装置１０は、メディアサーバー６０に対して取得したいメディアファイルＭ
Ｆを指定してダウンロード要求を行う。その要求を受けたメディアサーバー６０は、選択
されたメディアファイルＭＦを印刷管理装置１０へ送信する。図４の例では、機種名“ｘ
ｘｘ”のプリンター３０の専用画面１６４が開かれており、この専用画面１６４のサーバ
ーアクセスボタン１６７の操作の結果、ダウンロード用画面１７０が開かれていることか
ら、ユーザーは、メディアリスト６１から機種名が“ｘｘｘ”であるメディアファイルＭ
Ｆを選択し、ダウンロードすることができる。
【００５５】
なお、図４の例のように機種名“ｘｘｘ”のプリンター３０の専用画面１６４が開かれ
、この専用画面１６４のサーバーアクセスボタン１６７の操作の結果、ダウンロード用画
面１７０が生成される場合、制御部１１は、メディアサーバー６０に、メディアサーバー
６０が有するメディアファイルＭＦのうち機種名“ｘｘｘ”に対応するメディアファイル
ＭＦのみを表示するためのデータを要求する。メディアサーバー６０は、当該要求に応え
、保有する大量のメディアファイルＭＦのうち機種名“ｘｘｘ”に対応するメディアファ
イルＭＦのみを表示するためのデータを制御部１１へ送信する。制御部１１は、当該取得
したデータに基づいて、メディアサーバー６０が有するメディアファイルＭＦのうち機種
名“ｘｘｘ”に対応するメディアファイルＭＦのみを列挙したリスト（メディアリスト６
１の一部分）をダウンロード用画面１７０に表示させる。この結果、ユーザーは、ダウン
ロード用画面１７０に表示されたメディアリスト６１から任意にメディアファイルＭＦを
選択することにより、機種名“ｘｘｘ”に対応するメディアファイルＭＦを容易かつ確実
にダウンロードすることができる。
【００５６】
さらに、ダウンロード用画面１７０には、メディアリスト６１から所望のメディアファ
イルＭＦを検索するための検索ツール１７１が表示されるとしてもよい。検索ツール１７
１は、ユーザーに入力された検索条件（メディアベンダー、メディアタイプ、機種名等）
に従って、条件が該当するメディアファイルＭＦだけを表示するためのデータをメディア
サーバー６０から取得する。制御部１１は、当該取得したデータに基づいて、メディアサ
ーバー６０が有するメディアファイルＭＦのうち、検索ツール１７１に入力された検索条
件に該当するメディアファイルＭＦのみを列挙したリスト（メディアリスト６１の一部分
）をダウンロード用画面１７０に表示させる。この結果、ユーザーは、ダウンロード用画
面１７０に表示されたメディアリスト６１から任意にメディアファイルＭＦを選択するこ
とにより、所望の条件に合致するメディアファイルＭＦを容易にダウンロードすることが
できる。
【００５７】
第１メディア登録リスト１６５（図４）には、専用画面１６４のプリンター３０（機種
名“ｘｘｘ”のプリンター３０）に対応して上述のようにメディアサーバー６０から印刷
管理装置１０へダウンロードされたメディアファイルＭＦが表示されている。図４の例で
は、第１メディア登録リスト１６５には、メディアベンダー、メディア名称、メディアタ
イプ…といったメディア基本情報ＭＩに含まれる幾つかの項目により、ダウンロードされ
た各メディアファイルＭＦの存在がユーザーに示されている。
【００５８】
専用画面１６４においては、第１メディア登録リスト１６５内のメディアファイルＭＦ
を、第２メディア登録リスト１６６（図４）に登録することができる。第２メディア登録
リスト１６６は、印刷メディアにメディア番号を付して登録する。メディア番号とは、例
えば、♯１から始まる連番であり、プリンター３０毎に、そのプリンター３０を含むシス
テム１内のみで印刷メディアを識別するための便宜上の番号である。メディア番号は、メ
ディア基本情報ＭＩとしてメディアサーバー６０からダウンロードされるものではない。
【００５９】
例えば、ユーザーは、第２メディア登録リスト１６６に登録したいメディアファイルＭ
Ｆを第１メディア登録リスト１６５内で選択するとともに、対応付けたいメディア番号（
例えば、メディア番号♯１）を第２メディア登録リスト１６６内で選択する。この状況で
、ユーザーは、専用画面１６４内に用意されたコピーボタン１６８を操作する。このよう
な操作に応じて、制御部１１は、第１メディア登録リスト１６５内で選択されているメデ
ィアファイルＭＦに関する表示を、第２メディア登録リスト１６６内で選択されているメ
ディア番号に対応する欄にコピーして表示させる。
【００６０】
印刷管理装置１０の記憶部１２には、メディアサーバー６０から前記のようにダウンロ
ードされた各メディアファイルＭＦを記憶する第１記憶領域（第１メディア登録リスト１
６５内の各メディアファイルＭＦを実際に記憶する領域）と、第２メディア登録リスト１
６６に登録するメディアファイルＭＦをメディア番号と対応付けて実際に記憶する第２記
憶領域とが用意されている。従って、制御部１１は、第１記憶領域に記憶されている前記
選択されたメディアファイルＭＦをコピーして、第２記憶領域に前記選択されたメディア
番号と対応付けて貼り付ける処理を実行する。つまり、第１記憶領域、第２記憶領域とも
に、印刷管理装置１０が管理対象とするプリンター３０毎に、プリンター３０に対応付け
られた各メディアファイルＭＦが記憶されることとなる。このように、第１記憶領域また
は第２記憶領域に記憶されている、プリンター３０毎に対応付けられた各メディアファイ
ルＭＦが、メディアテーブルＭＴ（図２）の具体的内容例に該当する。
【００６１】
３‐２．印刷設定情報ＳＩの編集：
ユーザーは、第２メディア登録リスト１６６に登録したメディアファイルＭＦの印刷設
定情報ＳＩを編集することができる。ユーザーは、印刷設定情報ＳＩを編集する対象のメ
ディアファイルＭＦ（編集対象ファイル）を第２メディア登録リスト１６６内で選択した
状態で、編集開始のための所定操作を実行する。すると制御部１１は、当該操作に応じて
、編集対象ファイルの印刷設定情報ＳＩを編集するための編集用画面１８０を、表示部１
３（あるいは表示部２３）に表示させる。
【００６２】
図６は、編集用画面１８０を例示している。編集画面１８０は、編集対象ファイルのメ
ディア基本情報ＭＩの一部、例えばメディア名称（メディア設定名）等を編集可能な編集
入力欄１８１を有するが、主に、印刷設定情報ＳＩの各項目を編集可能な編集入力欄１８
２を有している。ユーザーは、編集入力欄１８２に対して任意の入力を行うことで、編集
対象ファイルの現在の印刷設定情報ＳＩの各項目（プラテンギャップ、ヒーターの温度、
印刷メディアの搬送に関するパラメーター、印刷メディアの乾燥時間、クリーニング頻度
…等の各項目）の設定値を変更（編集）することができる。
【００６３】
ユーザーは、編集入力欄１８２等への任意の入力をした上で、編集用画面１８０に用意
されているＯＫボタン１８３を操作する。当該ＯＫボタン１８３への操作に応じて、制御
部１１は、編集用画面１８０の表示を終了させるとともに、当該ＯＫボタン１８３が操作
された時点での編集用画面１８０内での編集内容により、第２記憶領域に記憶されている
編集対象ファイルの印刷設定情報ＳＩ等を更新する。これにより、ユーザーが第２メディ
ア登録リスト１６６内で編集対象ファイルとして任意に選択したメディアファイルＭＦ（
例えば、メディア番号♯１のメディアファイルＭＦ）の印刷設定情報ＳＩが編集されたこ
とになる。制御部１１は、記憶部１２の第１記憶領域に記憶されているメディアファイル
ＭＦは編集の対象とせず、記憶部１２の第２記憶領域に記憶されているメディアファイル
ＭＦの印刷設定情報ＳＩを編集の対象とすることで、メディアサーバー６０から取得した
状態のままのメディアファイルＭＦも保持することができる。
【００６４】
このようにメディア印刷情報記憶部（記憶部１２）が記憶する印刷設定情報ＳＩは、編
集された後の印刷設定情報ＳＩを含むと言える。また、印刷管理装置１０は、制御部１１
、表示部１３、操作受付部１４等が、印刷設定情報ＳＩに対する編集を受け付ける編集受
付部としても機能すると言え、当該編集受付部は、受け付けた操作に応じて編集した印刷
設定情報ＳＩにより、メディア印刷情報記憶部（記憶部１２）が記憶している印刷設定情
報ＳＩを更新する。
【００６５】
３‐３．プリンター３０との印刷設定情報ＳＩの同期：
本実施例では、印刷管理装置１０は、管理対象とするプリンター３０毎に対応付けて記
憶部１２に記憶しているメディアファイルＭＦの印刷設定情報ＳＩを、夫々が対応する各
プリンター３０にも記憶させる。つまり各プリンター３０は、印刷管理装置１０が記憶す
る印刷設定情報ＳＩを記憶するための記憶部３２（印刷設定情報記憶部）を備え、記憶部
３２は、印刷管理装置１０から取得した印刷設定情報ＳＩを格納する印刷設定情報テーブ
ル３２０（図１）を有している。
【００６６】
この場合、制御部１１は、管理対象としているプリンター３０に対応付けて記憶部１２
の第２記憶領域に記憶している各メディアファイルＭＦの印刷設定情報ＳＩを、当該メデ
ィアファイルＭＦのメディア基本情報ＭＩとともに、通信ＩＦ１５を介して、対応するプ
リンター３０へ送信する。より具体的には、ユーザーは、例えば専用画面１６４に用意さ
れた適用ボタン１６９（図４）を操作する。制御部１１は、適用ボタン１６９が操作され
たことに応じて、当該適用ボタン１６９を有する専用画面１６４が対応するプリンター３
０（例えば、機種名“ｘｘｘ”のプリンター３０）に対応付けて記憶部１２の第２記憶領
域に現在記憶されている各メディアファイルＭＦのメディア基本情報ＭＩと印刷設定情報
ＳＩとを、当該プリンター３０へ送信する。
【００６７】
図７は、プリンター３０が有する印刷設定情報テーブル３２０を例示している。プリン
ター３０の制御部３１は、印刷管理装置１０から送信された、自身が使用可能な印刷メデ
ィア毎のメディア基本情報ＭＩと印刷設定情報ＳＩとの組み合わせを、記憶部３２の印刷
設定情報テーブル３２０に格納する。上述したように、メディア基本情報ＭＩには、メデ
ィア名称、メディアタイプ、メディアベンダー、印刷メディアのサイズ、メディアファイ
ルＭＦの更新日時、当該印刷メディアを使用可能なプリンター３０の機種名等、様々な情
報が含まれる。しかし、印刷設定情報テーブル３２０においては、このようなメディア基
本情報ＭＩの全てが必要な訳ではなく、印刷設定情報テーブル３２０内で印刷設定情報Ｓ
Ｉと一対一で対応付けられた、印刷メディアを識別可能な情報が有ればよい。
【００６８】
本実施例では、印刷設定情報テーブル３２０には、印刷メディア毎のメディア基本情報
ＭＩの他に、プリンター３０を特定したシステム１内でのみ通用する前記メディア番号が
格納されるとする（図７参照）。つまり、制御部１１は、適用ボタン１６９が操作された
場合、当該適用ボタン１６９を有する専用画面１６４が対応するプリンター３０に対応付
けて記憶部１２の第２記憶領域に現在記憶されている各メディアファイルＭＦの、メディ
ア番号と、メディア基本情報ＭＩと、印刷設定情報ＳＩとを、当該プリンター３０へ送信
する。ただし、メディア番号は必須ではなく、印刷メディアを特定できる情報であれば、
例えばメディア名称等の他の情報であってもよい。
【００６９】
プリンター３０が記憶部３２（印刷設定情報テーブル３２０）に記憶する印刷メディア
毎の印刷設定情報ＳＩは、内容が印刷管理装置１０側の印刷設定情報ＳＩと一致している
ことが望ましい。そこで、制御部１１は、記憶部１２においてプリンター３０毎に記憶さ
れている印刷設定情報ＳＩと、各プリンター３０に記憶させる印刷設定情報ＳＩとを同期
させる。上述したように、制御部１１は、適用ボタン１６９が操作された場合、当該適用
ボタン１６９を有する専用画面１６４が対応するプリンター３０に対応付けて記憶部１２
の第２記憶領域に“現在”記憶されている各メディアファイルＭＦの印刷設定情報ＳＩを
、当該プリンター３０へ送信する。あるプリンター３０に関し、上述したように編集用画
面１８０を通じて、第２記憶領域に記憶されている編集対象ファイル（メディアファイル
ＭＦ）の印刷設定情報ＳＩが編集された場合、その後に当該プリンター３０へ送信される
印刷設定情報ＳＩは、当然、編集後の印刷設定情報ＳＩとなる。
【００７０】
つまり、制御部１１は、記憶部１２（第２記憶領域）における編集後の印刷設定情報Ｓ
Ｉをプリンター３０へ送信して記憶させることにより、印刷管理装置１０とプリンター３
０との間で印刷設定情報ＳＩの同期を実現すると言える。プリンター３０側では、自身が
使用可能な印刷メディアに対応したメディア基本情報ＭＩ（およびメディア番号）と印刷
設定情報ＳＩとの組み合わせを印刷管理装置１０から受信した場合、印刷設定情報テーブ
ル３２０に当該受信した印刷設定情報ＳＩと同じメディア基本情報ＭＩ（およびメディア
番号）に対応する印刷設定情報ＳＩが既に格納されている場合には、当該受信した印刷設
定情報ＳＩを当該同じメディア基本情報ＭＩ（およびメディア番号）に対応する印刷設定
情報ＳＩに上書きする。このように印刷設定情報ＳＩが印刷管理装置１０からプリンター
３０へ送信される処理について、プリンター３０側の視点で表現すると、制御部３１は、
印刷管理装置１０に記憶されている印刷設定情報ＳＩと、記憶部３２（印刷設定情報テー
ブル３２０）に記憶されている印刷設定情報ＳＩとを同期させると言える。つまり、制御
部３１は、印刷管理装置１０における編集後の印刷設定情報ＳＩを印刷管理装置１０から
取得して記憶部３２（印刷設定情報テーブル３２０）に記憶させることにより、印刷設定
情報ＳＩの同期を実現すると言える。
【００７１】
なお、制御部１１は、編集用画面１８０のＯＫボタン１８３が操作され、かつその後に
、専用画面１６４の適用ボタン１６９が操作された場合に、当該ＯＫボタン１８３が操作
された時点での編集用画面１８０内での編集内容による第２記憶領域に記憶されている編
集対象ファイル（メディアファイルＭＦ）の印刷設定情報ＳＩの更新と、当該更新後（編
集後）の印刷設定情報ＳＩを対応するプリンター３０へ送信する処理とを、同時に実行す
るとしてもよい。このような構成によれば、印刷管理装置１０側での印刷設定情報ＳＩの
編集を、即座に、プリンター３０側で保有する印刷設定情報ＳＩに反映させることができ
る。
【００７２】
上述したような、ＵＩ画面１６０における専用画面を通じたメディアファイルＭＦのダ
ウンロードや、ダウンロードしたメディアファイルＭＦとメディア番号とを対応付ける処
理や、印刷設定情報ＳＩを編集する処理や、印刷設定情報ＳＩをプリンター３０へ送信す
る処理（印刷設定情報ＳＩを同期させる処理）の手順は、印刷管理装置１０が管理対象と
している他のプリンター３０（機種名“ｙｙｙ”や“ｚｚｚ”のプリンター３０）のタブ
１６２，１６３（図４）が選択された場合も同様である。また、制御部１１は、管理対象
としている各プリンター３０が使用可能な印刷メディア毎のメディアファイルＭＦが、メ
ディアサーバー６０のメディアリスト６１において新たに登録されたり更新されたりする
ことを、メディアサーバー６０との通信により定期的にチェックし、チェックの結果に応
じ、ダウンロード未実施のメディアファイルＭＦをプリンター３０に対応付けてメディア
サーバー６０から自動的にダウンロードするとしてもよい。
【００７３】
プリンター３０は、印刷設定情報ＳＩの編集や同期に関して常に受け身であるとは限ら
ない。制御部３１は、印刷設定情報テーブル３２０に印刷メディア毎（メディア基本情報
ＭＩ毎）に格納されている印刷設定情報ＳＩのいずれかを選択した編集の要求を、操作受
付部３４への所定操作に応じて受け付ける。制御部３１は、このような編集の要求を受け
付けたとき、例えば、上述の編集用画面１８０に相当する編集用画面（プリンター側編集
用画面）を表示部３３へ表示させる。そして制御部３１は、表示部３３に表示させたプリ
ンター側編集用画面を通じて、前記選択された印刷設定情報ＳＩに対する、ユーザーによ
る操作受付部３４の操作に応じた任意の編集を受け付ける。
【００７４】
ユーザーは、プリンター側編集用画面への任意の入力をした上で、例えば、プリンター
側編集用画面に用意されているＯＫボタンを操作する。当該ＯＫボタンへの操作に応じて
、制御部３１は、プリンター側編集用画面の表示を終了させるとともに、当該ＯＫボタン
が操作された時点でのプリンター側編集用画面内での編集内容により、印刷設定情報テー
ブル３２０に格納されている前記選択された印刷設定情報ＳＩを更新する。これにより、
ユーザーがプリンター３０が有する印刷設定情報テーブル３２０内で編集対象として任意
に選択した印刷設定情報ＳＩが編集されたことになる。
【００７５】
このようにプリンター３０は、制御部３１、表示部３３、操作受付部３４等が、印刷設
定情報ＳＩに対する編集を受け付ける編集受付部としても機能すると言え、当該編集受付
部は、受け付けた操作に応じて編集した印刷設定情報ＳＩにより、印刷設定情報記憶部（
記憶部３２）が記憶している印刷設定情報テーブル３２０内の印刷設定情報ＳＩを更新す
る。
【００７６】
プリンター３０は、上述したようにプリンター側編集用画面を通じて、印刷設定情報テ
ーブル３２０内の印刷設定情報ＳＩが編集された場合、当該編集後の印刷設定情報ＳＩを
、対応するメディア基本情報ＭＩ（および又はメディア番号）とともに通信ＩＦ３５を介
して印刷管理装置１０へ送信する。つまり、制御部３１は、印刷設定情報記憶部（記憶部
３２）における編集後の印刷設定情報ＳＩを印刷管理装置１０へ送信して記憶させること
により印刷設定情報ＳＩの同期を実現する。印刷管理装置１０側では、メディア基本情報
ＭＩ（および又はメディア番号）と印刷設定情報ＳＩとの組み合わせをプリンター３０か
ら受信した場合、当該プリンター３０および当該受信したメディア基本情報ＭＩ（および
又はメディア番号）に対応して記憶部１２の第２記憶領域に記憶されている印刷設定情報
ＳＩを、当該受信した印刷設定情報ＳＩにより上書きする。これを印刷管理装置１０側の
視点で表現すると、制御部１１は、プリンター３０における編集後の印刷設定情報ＳＩを
プリンター３０から取得してメディア印刷情報記憶部（記憶部１２）に記憶させることに
より印刷設定情報ＳＩの同期を実現すると言える。
このように本実施例では、印刷管理装置１０、プリンター３０のいずれにおいても印刷
設定情報ＳＩを編集し、編集結果を両装置間で同期させることができる。そのため、印刷
メディア毎のプリンター３０の設定を編集したいと望むユーザーの利便性が向上する。
【００７７】
３‐４．画像処理装置２０による印刷データ生成処理：
次に、システム１における画像処理装置２０の動作を説明する。
図８は、画像処理装置２０の制御部２１が画像処理プログラム２６を実行することによ
り実現する印刷データ生成処理をフローチャートにより示している。
制御部２１は、印刷すべき画像を示す画像データをユーザーの操作に応じて取得する（
ステップＳ１００）。ここで言う画像データとは、例えば、画像処理装置２０が搭載する
文書作成ソフトウェアや描画ソフトウェアにより生成された画像データ、外部のデジタル
カメラやスキャナーやその他のＰＣ等から入力した画像データ等である。
【００７８】
制御部２１は、印刷処理を実行させるプリンター３０および印刷に使用する印刷メディ
アの指定を受け付ける（ステップＳ１１０）。制御部２１は、例えば、管理対象とされて
いるプリンター３０および各プリンター３０が使用可能な印刷メディアを、通信ＩＦ２５
を介して印刷管理装置１０へ問い合わせる。当該問い合わせを画像処理装置２０から受け
た印刷管理装置１０の制御部１１は、管理対象としている各プリンター３０のプリンター
識別情報と、記憶部１２（第２記憶領域）に各プリンター３０に対応付けて記憶されてい
る各メディアファイルＭＦのメディア基本情報ＭＩとを、通信ＩＦ１５を介して、当該問
い合わせの送信元である画像処理装置２０へ送信する。このとき、制御部１１は、各プリ
ンター３０のプリンター識別情報と、記憶部１２（第２記憶領域）に各プリンター３０に
対応付けて記憶されている各メディアファイルＭＦのメディア基本情報ＭＩとに加え、各
プリンター３０に対応付けて記憶されている各メディアファイルＭＦのメディア番号を画
像処理装置２０へ送信してもよい。以下では、印刷メディアに関するメディア基本情報Ｍ
Ｉおよびメディア番号をまとめて、メディア基本情報ＭＩ等、と呼ぶ。
【００７９】
制御部２１は、印刷管理装置１０から上述のように送信された各プリンター３０のプリ
ンター識別情報と、各プリンター３０に対応するメディア基本情報ＭＩ等とに基づいて、
プリンター３０および印刷メディアの指定を入力するためのＵＩ画面（印刷条件入力ＵＩ
画面）を生成し、表示部２３に表示させる。印刷条件入力ＵＩ画面には、例えば、各プリ
ンター３０のプリンター識別情報に基づいて、各プリンター３０の機種名、ＩＰアドレス
、シリアルナンバー、ファームウェアのバージョン等が表示される。さらに、印刷条件入
力ＵＩ画面には、例えば、各プリンター３０に対応するメディア基本情報ＭＩ等に基づい
て、プリンター３０毎の使用可能な印刷メディアの情報（メディア名称、メディアタイプ
、メディアベンダー、メディア番号等）が表示される。従って、ユーザーは、印刷条件入
力ＵＩ画面を見ることにより、指定可能なプリンター３０とプリンター３０毎の指定可能
な印刷メディアとを知ることができる。ユーザーは、操作受付部２４を操作することによ
り、印刷条件入力ＵＩ画面に対して、プリンター３０を指定する入力と、当該指定したプ
リンター３０において使用可能な印刷メディアの中から印刷メディアを指定する入力とを
行う。制御部２１は、このような指定を受け付ける。
【００８０】
プリンター３０および印刷メディアの指定を受け付けた画像処理装置２０は、当該指定
されたプリンター３０および印刷メディアに対応する画像処理情報ＰＩを、印刷管理装置
１０から取得する（ステップＳ１２０）。この場合、画像処理装置２０は、プリンター３
０を指定するプリンター指定情報および印刷メディアを指定するメディア指定情報を、通
信ＩＦ２５を介して印刷管理装置１０へ送信する。プリンター指定情報とは、印刷管理装
置１０が管理対象としているプリンター３０のそれぞれを一義的に示す情報であればよく
、例えば、プリンター３０の機種名である。あるいは、印刷管理装置１０が管理する複数
台のプリンター３０の中に同一機種のプリンター３０が複数含まれている場合を想定して
、プリンター指定情報は、例えば機種名とＩＰアドレスやシリアルナンバーとの組み合わ
せ等であってもよい。
【００８１】
メディア指定情報とは、指定されたプリンター３０が使用可能な印刷メディアのそれぞ
れを一義的に示す情報であればよく、メディア名称等であってもよい。本実施例では、メ
ディア指定情報としてより単純なメディア番号を用いる。制御部２１は、上述したように
ステップＳ１１０で印刷条件入力ＵＩ画面を表示する際に、印刷管理装置１０から印刷メ
ディア毎のメディア基本情報ＭＩ等を取得済みであり、メディア番号はこのメディア基本
情報ＭＩ等に含まれている。例えば、ユーザーが、印刷条件入力ＵＩ画面を通じて、機種
名“ｘｘｘ”のプリンター３０を指定し、かつ当該機種名“ｘｘｘ”のプリンター３０が
使用可能な複数の印刷メディアの中からメディア番号♯１が付された印刷メディアを指定
したと仮定する。この場合、画像処理装置２０は、機種名“ｘｘｘ”のプリンター３０を
指定するプリンター指定情報と、メディア指定情報（＝メディア番号♯１）とを印刷管理
装置１０へ送信する。
【００８２】
プリンター指定情報およびメディア指定情報を画像処理装置２０から入力した印刷管理
装置１０の制御部１１は、プリンター指定情報が指定するプリンター３０およびメディア
指定情報が示す印刷メディアに対応して記憶部１２（第２記憶領域）に記憶されているメ
ディアファイルＭＦから、画像処理情報ＰＩを読み出す。そして、当該読み出した画像処
理情報ＰＩを、通信ＩＦ１５を介して、前記プリンター指定情報およびメディア指定情報
の送信元である画像処理装置２０へ送信する。これにより、画像処理装置２０は、指定さ
れたプリンター３０および印刷メディアに対応する印刷データの生成に必要な画像処理情
報ＰＩを取得できたことになる。
【００８３】
次に、制御部２１は、前記取得した画像処理情報ＰＩに基づいて、前記指定された印刷
メディア用の印刷データを生成する（ステップＳ１３０）。この場合、前記取得した画像
データに対して、画像処理情報ＰＩに基づく画像処理を実行することにより、前記指定さ
れたプリンター３０が印刷に使用するインク色（例えば、ＣＭＹＫ）毎のラスターデータ
（印刷データ）を生成する。例えば、制御部２１は、画像データに対して、画像処理情報
ＰＩに含まれる印刷解像度に応じた解像度変換処理や、色変換テーブルを用いた色変換処
理や、カラープロファイルを用いたカラーマッチングや、ドット振分テーブルを用いたド
ット振り分け処理や、パス数に応じたデータの並び替え処理を実行し、最終的にプリンタ
ー３０へ提供する形態の印刷データを生成する。
【００８４】
上述したように、画像処理情報ＰＩは印刷モード別に情報を有している場合がある（図
３）。画像処理情報ＰＩが印刷モード別の情報を有している場合、制御部２１は、それら
印刷モードのいずれかを指定させるためのＵＩ画面を表示部２３に表示させ、ユーザーの
操作受付部２４の操作による印刷モードの指定を受け付ける。そして、制御部２１は、当
該指定された印刷モードに対応するパス数、印刷解像度、カラープロファイル、色変換テ
ーブル、ドット振分テーブル等の画像処理情報ＰＩに基づいて、印刷データを生成する。
つまり、ユーザーが任意に指定したプリンター３０、印刷メディアおよび印刷モードの組
合せに最適な印刷データが生成される。
【００８５】
制御部２１は、前記のように生成した印刷データを、印刷メディアを指定する前記メデ
ィア指定情報とともに、通信ＩＦ２５を介して前記指定されたプリンター３０へ送信する
（ステップＳ１４０）。むろん、ステップＳ１４０で印刷データとともに送信するメディ
ア指定情報は、ステップＳ１１０で受け付けた指定にかかる印刷メディアを示す情報（こ
こでは、メディア番号）であり、ステップＳ１４０における送信先のプリンター３０は、
ステップＳ１１０で受け付けた指定にかかるプリンター３０である。印刷データとともに
メディア指定情報を送信するとは、印刷データにメディア指定情報を付随させたり紐づけ
たりして送信する態様や、印刷データ内にメディア指定情報を含めて送信する態様等を含
む。なお、印刷データの生成に際して上述したように印刷モードの指定を受けた場合には
、制御部２１は、ステップＳ１４０では、この指定された印刷モード、つまり印刷に際し
て採用すべき印刷モードを指定する印刷モード指定情報も含めて、印刷データをプリンタ
ー３０へ送信する。印刷モード指定情報は、印刷モードの具体的内容、例えば、パス数等
を含む情報である。
【００８６】
３‐５．プリンター３０による印刷処理：
図９は、プリンター３０の制御部３１がファームウェアＦＷに従って実行する印刷処理
をフローチャートにより示している。
制御部３１は、通信ＩＦ３５を介して外部から印刷データを受信したか否かを判定する
（ステップＳ２００）。印刷データを受信した場合（ステップＳ２００において“Ｙｅｓ
”）、処理をステップＳ２１０へ進める。上述したように画像処理装置２０が送信した、
メディア指定情報が指定する印刷メディア用に生成された印刷データと当該メディア指定
情報とを、プリンター３０が受信する。
【００８７】
ステップＳ２１０では、制御部３１は、前記印刷データとともに受信したメディア指定
情報を取得し、当該メディア指定情報（メディア番号）に対応する印刷設定情報ＳＩを、
記憶部３２の印刷設定情報テーブル３２０から読み出す。つまり第１実施例では、プリン
ター３０は、印刷設定情報テーブル３２０を有しているため、印刷データに基づく印刷処
理を実行する際に、その都度印刷管理装置１０にアクセスせずとも、印刷処理に必要な印
刷設定情報ＳＩを取得することができる。
【００８８】
次に、制御部３１は、ステップＳ２１０で読み出した印刷設定情報ＳＩに従ってプリン
ターエンジン３６各部の動作条件を設定する（ステップＳ２２０）。制御部３１は、前記
読み出した印刷設定情報ＳＩに従って、例えば、ヒーターの温度、搬送機構による印刷メ
ディアの搬送、印刷メディアの乾燥時間、プラテンギャップ、クリーニング頻度等の様々
な項目を設定する。そして、制御部３１は、前記受信した印刷データをプリンターエンジ
ン３６に転送し、プリンターエンジン３６に、前記受信したメディア指定情報が指定する
印刷メディアへの、印刷データに基づく印刷を実行させる（ステップＳ２３０）。つまり
、制御部３１およびプリンターエンジン３６は、それらが協働することにより、印刷設定
情報ＳＩに従った設定で印刷データに基づく印刷を実行する印刷処理部として機能する。
【００８９】
制御部３１は、画像処理装置２０から印刷モード指定情報を含んだ印刷データを受信す
ることがある。制御部３１は、印刷モード指定情報を含んだ印刷データを受信した場合に
は、印刷モード指定情報が指定する印刷モードによりプリンターエンジン３６に印刷を実
行させる。例えば、制御部３１は、印刷モード指定情報が示す印刷モードのパス数に応じ
て、プリンターエンジン３６が有するキャリッジの動作や搬送機構の搬送タイミングを制
御することができる。以上により、ユーザーが指定したプリンター３０によるユーザーが
指定した印刷メディアへの印刷が完了する。
【００９０】
４．第２実施例：
次に、第２実施例について説明する。なお、第２実施例以下の各実施例については、そ
れまでに説明した実施形態や各実施例と異なる点を説明する。
【００９１】
上述の第１実施例においてはプリンター３０自身が、印刷処理に必要な印刷設定情報Ｓ
Ｉを記憶部３２に記憶していたが、第２実施例は、プリンター３０がこのような印刷設定
情報ＳＩを有さない。つまり第２実施例では、印刷管理装置１０は、管理対象とするプリ
ンター３０毎に対応付けて記憶部１２に記憶している各メディアファイルＭＦの印刷設定
情報ＳＩを、夫々が対応する各プリンター３０に記憶させることはしない。従って、第２
実施例では、各プリンター３０は印刷設定情報テーブル３２０を有さず、印刷管理装置１
０が記憶する印刷設定情報ＳＩとプリンター３０が記憶する印刷設定情報ＳＩとを同期さ
せるという概念も不要となる。また、第２実施例では、印刷管理装置１０の記憶部１２を
第１記憶領域（第１メディア登録リスト１６５）と第２記憶領域（第２メディア登録リス
ト１６６）とに分ける概念は無くてもよい。いずれにしても制御部１１は、管理対象とす
るプリンター３０毎に、プリンター３０で使用する各印刷メディアを識別するためのメデ
ィア番号を付与し、記憶部１２に記憶させることが可能である。第２実施例においても、
印刷管理装置１０は、ユーザーの操作を受け付けて、記憶部１２が記憶する印刷設定情報
ＳＩを編集可能である。
【００９２】
図１０は、第２実施例においてプリンター３０の制御部３１がファームウェアＦＷに従
って実行する印刷処理をフローチャートにより示している。ステップＳ３００は、ステッ
プＳ２００（図９）と同じである。ステップＳ３１０では、制御部３１は、印刷データと
ともに受信したメディア指定情報を取得し、当該メディア指定情報に対応する印刷設定情
報ＳＩを、印刷管理装置１０から取得する。この場合、制御部３１は、ステップＳ３００
で印刷データとともに受信したメディア指定情報を、印刷設定情報ＳＩを要求する要求信
号とともに、通信ＩＦ３５を介して印刷管理装置１０へ送信する。
【００９３】
前記要求信号を受信した印刷管理装置１０では、制御部１１が、前記要求信号の送信元
のプリンター３０に対応付けられて記憶部１２に記憶されている各メディアファイルＭＦ
のうち前記要求信号とともに受信したメディア指定情報に対応するメディアファイルＭＦ
の印刷設定情報ＳＩを読み出す。そして、制御部１１は、当該読み出した印刷設定情報Ｓ
Ｉを、前記要求信号の送信元のプリンター３０へ送信する。この結果、プリンター３０の
制御部３１は、メディア指定情報が示す印刷メディアに対応する印刷設定情報ＳＩを取得
することができる。
【００９４】
ステップＳ３２０では、制御部３１は、ステップＳ３１０で印刷管理装置１０から取得
した印刷設定情報ＳＩに従ってプリンターエンジン３６各部の動作条件を設定する。ステ
ップＳ３３０は、ステップＳ２３０（図９）と同じである。このような第２実施例によれ
ば、プリンター３０は、印刷設定情報テーブル３２０を有さずとも、画像処理装置２０か
ら印刷データおよびメディア指定情報を受信する度に、メディア指定情報が示す印刷メデ
ィアに対応する印刷設定情報ＳＩを印刷管理装置１０から取得することにより、印刷デー
タに基づく印刷処理に必要な印刷設定情報ＳＩを得ることができる。
【００９５】
５．第３実施例：
第３実施例においては、第１実施例および第２実施例と異なり、画像処理装置２０は、
記憶部２２に画像処理情報テーブル２２０（図１）を有している。
印刷管理装置１０は、管理対象とするプリンター３０毎に対応付けて記憶部１２に記憶
している各メディアファイルＭＦの画像処理情報ＰＩを画像処理装置２０にも記憶させる
。つまり画像処理装置２０は、印刷管理装置１０が記憶する画像処理情報ＰＩを記憶する
ための記憶部２２を備え、記憶部２２は、印刷管理装置１０から取得した画像処理情報Ｐ
Ｉを格納する画像処理情報テーブル２２０を有している。
【００９６】
この場合、制御部１１は、管理対象としているプリンター３０に対応付けて記憶部１２
（例えば第２記憶領域）に記憶している各メディアファイルＭＦの画像処理情報ＰＩを、
当該メディアファイルＭＦのメディア基本情報ＭＩ等と、対応するプリンター３０のプリ
ンター識別情報とともに、通信ＩＦ１５を介して、画像処理装置２０へ送信する。
【００９７】
図１１は、画像処理装置２０が有する画像処理情報テーブル２２０を例示している。画
像処理装置２０は、印刷管理装置１０から送信された、プリンター識別情報と、プリンタ
ー識別情報に対応付けられたメディア基本情報ＭＩ等と画像処理情報ＰＩとの組み合わせ
を、記憶部２２の画像処理情報テーブル２２０に格納する。画像処理情報テーブル２２０
は、基本的には、印刷管理装置１０が有するメディアテーブルＭＴ（図２）から印刷設定
情報ＳＩを除いた情報であると言える。なお、制御部１１は、管理対象としているプリン
ター３０に対応付けて記憶部１２に記憶している各メディアファイルＭＦ（メディアテー
ブルＭＴ）に、メディアファイルＭＦの追加や更新があった場合には、当該追加や更新に
かかるメディアファイルＭＦ内の情報（メディア基本情報ＭＩや画像処理情報ＰＩ）を随
時、画像処理装置２０へ送信し、当該送信した情報により画像処理情報テーブル２２０の
内容をアップデートさせる。
【００９８】
図１２は、第３実施例において画像処理装置２０の制御部２１が画像処理プログラム２
６を実行することにより実現する印刷データ生成処理をフローチャートにより示している
。ステップＳ４００は、ステップＳ１００（図８）と同じである。ステップＳ４１０は、
基本的にはステップＳ１１０（図８）と同じであり、制御部２１は、印刷処理を実行させ
るプリンター３０および印刷に使用する印刷メディアの指定を受け付ける。ただし第３実
施例では、制御部２１は、ステップＳ４１０のタイミングで、管理対象とされているプリ
ンター３０および各プリンター３０が使用可能な印刷メディアを印刷管理装置１０へ問い
合わせる必要はない。制御部２１は、記憶部２２に記憶されている画像処理情報テーブル
２２０に含まれている情報に基づいて、上述の印刷条件入力ＵＩ画面を生成し、表示部２
３に表示させることができる。
【００９９】
プリンター３０および印刷メディアの指定を受け付けた画像処理装置２０は、当該指定
されたプリンター３０および印刷メディアに対応する画像処理情報ＰＩを、画像処理情報
テーブル２２０から読み出す（ステップＳ４２０）。つまり第３実施例では、画像処理装
置２０は、画像処理情報テーブル２２０を有しているため、印刷データを生成する際に、
その都度印刷管理装置１０にアクセスせずとも、印刷データの生成に必要な画像処理情報
ＰＩを取得することができる。次に、制御部２１は、画像処理情報テーブル２２０から読
み出した画像処理情報ＰＩに基づいて、ステップＳ４１０で指定された印刷メディア用の
印刷データを生成する（ステップＳ４３０）。むろん第３実施例においても、制御部２１
は、ユーザーに印刷モードを指定させるためのＵＩ画面を表示部２３に表示させ、指定さ
れた印刷モードに対応する画像処理情報ＰＩに基づいて印刷データを生成することができ
る。ステップＳ４４０は、ステップＳ１４０（図８）と同じである。
【０１００】
第３実施例においては、プリンター３０側の構成や処理について、第１実施例または第
２実施例を適用することができる。つまり、画像処理情報テーブル２２０を有する画像処
理装置２０から印刷データおよびメディア指定情報の送信を受けるプリンター３０は、第
１実施例のように印刷設定情報テーブル３２０を有していてもよいし、第２実施例のよう
に印刷設定情報テーブル３２０を有していなくてもよい。
【０１０１】
６．まとめ：
このように本実施形態では、印刷管理装置１０は、各印刷メディア用の印刷データの生
成のために必要となる画像処理情報ＰＩと各印刷メディアへの印刷のために必要となる印
刷設定情報ＳＩとを対応付けた情報であるメディア印刷情報（印刷メディア毎のメディア
ファイルＭＦ）を、プリンター３０毎に記憶するメディア印刷情報記憶部（記憶部１２）
を備える。そして、印刷管理装置１０は、メディア指定情報が指定する印刷メディアに対
応して記憶部１２に記憶されている画像処理情報ＰＩを、画像処理装置２０へ送信可能で
ある。画像処理装置２０は、印刷管理装置１０から取得した画像処理情報ＰＩに基づいて
、メディア指定情報が指定する印刷メディア用の印刷データを生成し、メディア指定情報
と生成した印刷データとをプリンター３０へ送信する。プリンター３０は、メディア指定
情報と、メディア指定情報が指定する印刷メディア用に画像処理装置２０により生成され
た印刷データとを受信する。
【０１０２】
印刷管理装置１０は、プリンター３０へ、記憶部１２に記憶される印刷設定情報ＳＩを
送信可能である。そこで印刷管理装置１０は、メディア指定情報が指定する印刷メディア
に対応して記憶部１２に記憶されている印刷設定情報ＳＩをプリンター３０へ送信する。
なお、第１実施例では、プリンター３０は、印刷データに基づく印刷処理を行う際、自身
が保有する印刷設定情報テーブル３２０から印刷設定情報ＳＩを取得するが、印刷設定情
報テーブル３２０に格納されている印刷設定情報ＳＩはそもそも印刷管理装置１０から送
信されたものである。従って、第１実施例においても印刷管理装置１０は、プリンター３
０へ、記憶部１２に記憶される印刷設定情報ＳＩを（事前に）送信すると言える。プリン
ター３０は、印刷管理装置１０から（例えば、印刷設定情報テーブル３２０を介在させて
）取得した印刷設定情報ＳＩに従った設定で、前記受信した印刷データに基づく印刷を実
行する。
【０１０３】
つまり、画像処理装置２０は、メディア指定情報が指定する印刷メディアに対応する画
像処理情報ＰＩに基づいて印刷データを生成し、プリンター３０は、当該メディア指定情
報が指定する印刷メディアに対応する印刷設定情報ＳＩに従った設定を採用して印刷デー
タに基づく印刷を行うことができる。そのため、画像処理装置２０が印刷データの生成に
際して用いる画像処理情報ＰＩと、プリンター３０が印刷データに基づく印刷に際して用
いる印刷設定情報ＳＩとに不整合（対応する印刷メディアの不一致）が生じず、品質の良
好な印刷成果物が得られる。特に、ＲＩＰ装置（画像処理装置２０）においてＩＣＣプロ
ファイルを用いたカラーマッチング等により印刷メディアの特性に応じた精密な色合わせ
をした刷データを生成し、ＬＦＰ（プリンター３０）で印刷メディアに応じた細かな印刷
設定（例えば、ヒーター温度やプラテンギャップ等の設定）を行った上で印刷データに基
づく高画質な印刷成果物を出力させる場面において、本実施形態は大きな効果を奏する。
印刷データ生成時に対象としていた印刷メディアと、プリンター３０による印刷設定時に
対象とする印刷メディアとが相違していると、印刷データと印刷設定とが最適な組み合わ
せとならず、結果、ユーザーが期待する高画質な印刷成果物を得ることができない。しか
し本実施形態によれば、上述したような印刷メディアの不一致が確実に防がれるため、ユ
ーザーが期待する高画質な印刷成果物を得ることができる。
【０１０４】
なお、メディアファイルＭＦにおいては、印刷設定情報ＳＩも、画像処理情報ＰＩと同
様に、印刷モード別に情報が分けられているとしてもよい。つまり、１つの印刷メディア
に対応するメディアファイルＭＦにおいては、印刷モード１，２，３…毎に、最適な画像
処理情報ＰＩと印刷設定情報ＳＩとが対応付けられて規定されている。従って、メディア
印刷情報記憶部（記憶部１２）は、プリンター３０毎に、かつ、プリンター３０が使用可
能な印刷メディア毎に、かつ、印刷に際して採用可能な印刷モード毎に、画像処理情報Ｐ
Ｉと印刷設定情報ＳＩとを対応付けて記憶していると言える。この場合、印刷管理装置１
０からプリンター３０へは、印刷メディア毎かつ印刷モード毎の印刷設定情報ＳＩが送信
される。そのため、プリンター３０の制御部３１は、印刷モード指定情報を含んだ印刷デ
ータを受信した場合には、メディア指定情報および印刷モード指定情報が指定する印刷モ
ードに対応する印刷設定情報ＳＩに従ってプリンターエンジン３６各部の動作条件を設定
し、印刷を実行させることができる。
【０１０５】
７．その他の実施例：
印刷管理装置１０はクラウドサーバー上で実現されており、画像処理装置２０、プリン
ター３０のそれぞれとは、公衆通信回線であるインターネット通信網５０を介して通信す
るとしてもよい。
図１３は、システム１の他の構成例を簡易的に示している。図１３は、図１と比較した
とき、印刷管理装置１０が、インターネット通信網５０に接続されたクラウドサーバー７
０により実現されている点で異なる。クラウドサーバー７０は、メディアサーバー６０と
同様に、インターネット通信網５０を介したクラウドサービスを提供するクラウド環境の
一部（仮想サーバー）として実現されたり、物理サーバーにより実現されたりする。クラ
ウドサーバー７０とメディアサーバー６０は共通のサーバーであってもよい。このような
構成によれば、印刷管理装置１０に該当するクラウドサーバー７０上に、メディアテーブ
ルＭＴを記憶する記憶部１２が存在することになる。そのため、画像処理装置２０やプリ
ンター３０は、インターネット通信網５０に接続可能な状況であれば、画像処理情報ＰＩ
や印刷設定情報ＳＩといった必要な情報を必要なタイミングでその都度、クラウドサーバ
ー７０から取得することができる。よって、画像処理装置２０やプリンター３０は、画像
処理情報テーブル２２０や印刷設定情報テーブル３２０を保有する負担から開放される。
また、このような構成によれば、インターネット通信網５０に接続可能な複数のプリンタ
ー３０に共通の印刷設定情報ＳＩを与えることが容易となったり、印刷設定情報ＳＩを有
するプリンター３０側に何らかの不具合が生じた場合でも、印刷設定情報ＳＩが守られた
りする。
【０１０６】
画像処理装置２０が搭載する画像処理プログラム２６は、ＲＩＰソフトウェアであるだ
けでなく、印刷データを生成し、プリンター３０を制御して印刷データに基づく印刷を実
行させるプリンタードライバーとして機能するものであってもよい。
また、これまで説明したソフトウェアとして実現される機能は、ハードウェアにより実
現されるとしてもよい。
また、メディアサーバー６０が有するメディアリスト６１は、コンピューターに着脱可
能な可搬型メモリーや光ディスクなどの種々の記録媒体に記録された状態でユーザーに配
布されてもよい。
【０１０７】
図１４は、システム１の更なる他の構成例を簡易的に示している。図１４は主に印刷管
理装置１０、画像処理装置２０およびプリンター３０の接続態様を示しており、夫々の装
置の内部構成については、殆ど図示を省略している。図１や図１３の例では、プリンター
３０は、通信ＩＦ３５を介してＬＡＮ４０に接続されて複数の端末（画像処理装置２０等
）に共有され得るという点で、ネットワークプリンターと言える。ただし、図１４に示す
ように、プリンター３０は、これまで説明した実施形態を実現可能な限り、例えば、印刷
管理装置１０に対してケーブル８０等を介してローカル接続された態様であってもよい。
また、画像処理装置２０は同様に、これまで説明した実施形態を実現可能な限り、印刷管
理装置１０に対してケーブル８０等を介してローカル接続された態様であってもよい。プ
リンター３０や画像処理装置２０がローカル接続されることで、これら装置におけるセキ
ュリティが向上する。印刷管理装置１０は、上述したようにインターネット通信網５０に
接続していてもよいし、網画像処理装置２０やプリンター３０が必要とする印刷メディア
毎のメディアファイルＭＦを格納したメディアテーブルＭＴを有している状態では、イン
ターネット通信網５０から遮断された状態であってもよい。
【０１０８】
図１４に示す構成において、例えば、画像処理装置２０は、印刷データ等のプリンター
３０へ送信すべき情報を、印刷管理装置１０へ送信し、プリンター３０は、画像処理装置
２０から送信された印刷データ等の情報を、印刷管理装置１０を介して受信することがで
きる。さらに、図１４において破線で例示するように、印刷管理装置１０は画像処理装置
２０と共通の筐体９０内に実現されているとしてもよい。つまり、印刷管理装置１０は、
実態として画像処理装置２０を兼ねている。従って、印刷管理装置１０は、印刷管理プロ
グラム１６の他に、画像処理プログラム２６も搭載している。画像処理装置２０を兼ねる
印刷管理装置１０に対しては、プリンター３０がケーブル８０等を介してローカル接続さ
れる。あるいは、画像処理装置２０を兼ねる印刷管理装置１０とプリンター３０とは、イ
ンターネット通信網５０を介して通信するとしてもよい。さらに、装置１０，２０，３０
間のローカル接続は、有線（ケーブル８０）ではなく、アドホックモードによる直接的な
無線通信により実現されてもよい。
【符号の説明】
【０１０９】
１…システム、１０…印刷管理装置、１１…制御部、１２…記憶部、１３…表示部、１４
…操作受付部、１５…通信ＩＦ、１６…印刷管理プログラム、２０…画像処理装置、２１
…制御部、２２…記憶部、２３…表示部、２４…操作受付部、２５…通信ＩＦ、２６…画
像処理プログラム、３０…プリンター、３１…制御部、３２…記憶部、３３…表示部、３
４…操作受付部、３５…通信ＩＦ、３６…プリンターエンジン、５０…インターネット通
信網、６０…メディアサーバー、６１…メディアリスト、２２０…画像処理情報テーブル
、３２０…印刷設定情報テーブル、ＭＦ…メディアファイル、ＭＴ…メディアテーブル
【図１】
2018073324.tif 000003
【図２】
2018073324.tif 000004
【図３】
2018073324.tif 000005
【図４】
2018073324.tif 000006
【図５】
2018073324.tif 000007
【図６】
2018073324.tif 000008
【図７】
2018073324.tif 000009
【図８】
2018073324.tif 000010
【図９】
2018073324.tif 000011
【図１０】
2018073324.tif 000012
【図１１】
2018073324.tif 000013
【図１２】
2018073324.tif 000014
【図１３】
2018073324.tif 000015
【図１４】
2018073324.tif 000016